(57)【要約】【課題】実行不能な印刷ジョブによる印刷出力の停止時間を少なくし、生産性を向上させることができる画像形成装置を提供する。【解決手段】印刷ジョブを格納する格納手段と、格納手段に格納された待機中の印刷ジョブが、実行可能であるか、実行不能であるかを判定する判定手段を設ける。判定手段によって、実行前に印刷ジョブが実行可能か否かが判定される。さらに、上記判定手段によって実行不能であると判定された待機中の印刷ジョブの実行順序を、後続する他の待機中の印刷ジョブの後に変更させる制御手段を設ける。これにより、実行不能な印刷ジョブに後続する実行可能な他の印刷ジョブを速やかに実行することができる。【選択図】図６
2008062584.tif 000002
【特許請求の範囲】
【請求項１】
印刷ジョブを所定の順序で実行する画像形成装置であって、
印刷ジョブを格納する格納手段と、
格納手段に格納された待機中の印刷ジョブが、実行可能であるか、実行不能であるかを判定する判定手段と、
上記判定手段によって実行不能であると判定された待機中の印刷ジョブの実行順序を、後続する他の待機中の印刷ジョブの後に変更する制御手段と、
を備える画像形成装置。
【請求項２】
上記制御手段が、実行不能であると判定された待機中の印刷ジョブの実行順序を、後続する他の待機中の印刷ジョブの最後尾に変更する
請求項１記載の画像形成装置。
【請求項３】
上記制御手段が、実行不能であると判定された待機中の印刷ジョブの実行順序を、実行可能であると判定された他の待機中の印刷ジョブの後に変更する
請求項１記載の画像形成装置。
【請求項４】
複数の給紙カセットと、
上記給紙カセットにおける用紙の有無及びサイズを検知する用紙検知手段と、
を備え、
上記判定手段が、上記用紙検知手段の検知結果に基づいて、実行可能であるか、実行不能であるかを判定する
請求項１から３のいずれか１項に記載の画像形成装置。
【発明の詳細な説明】
【技術分野】
【０００１】
本発明は、画像形成装置に関し、詳しくは、複数の印刷ジョブを所定の順序で実行する画像形成装置に関する。
【背景技術】
【０００２】
コピー機能、プリンタ機能、ファクシミリ機能等の様々な機能を備えたいわゆるデジタル複合機が知られている。このような複合機をプリンタとして用いる場合、例えばネットワークで接続された複数のパーソナルコンピュータから、同時に複数の印刷ジョブが送信されることがある。送信された複数の印刷ジョブは画像メモリに一時的に保存され、所定の順序で実行される。
【０００３】
ところが、特定の印刷ジョブについて実行順がまわってきても、給紙カセットにユーザが指定したサイズの用紙がない場合（ペーパエンプティ状態）は、実行することができない。このような場合、ユーザは、一旦印刷ジョブをキャンセルするか、給紙カセットに指定のサイズの用紙を補給するか、用紙のサイズを変更して印刷ジョブの実行を再開するか等のいずれかの方法をとらなければならない。ユーザがなんらかの操作を行わない限り、印刷出力は停止したままである。
【０００４】
印刷出力が停止状態になると、後続の実行可能な待機中の印刷ジョブまでもが、印刷出力されずに停止状態に陥ってしまう。
【０００５】
このような印刷停止状態は、ペーパーエンプティが原因となるケースに限らず、様々な原因のケースが考えられる。他のケースとしては、例えば、ステープル機能を利用しようと思っているときにステープル針がない場合や、パンチング機能を利用しようと思っているときにパンチくずの回収ボックスがいっぱいになっている場合、フルカラーで印刷しようとしているときにカラーインクがきれている場合等が挙げられる。これらの場合にも上記同様、ユーザが何らかの操作をしてこれらの不具合を解消するまでは、印刷出力は停止した状態である。
【０００６】
なお、待機中の印刷ジョブが複数ある場合、例えば特許文献１に記載されているように、待機中の印刷ジョブを他の待機中の印刷ジョブの前に優先的に割り込ませ、実行順序を入れ替えるという方法がとられている。実行順序の入れ替えは、例えば、急いで出力したい印刷ジョブの前にサイズの大きい印刷ジョブが待機している場合に有効である。緊急度の高い印刷ジョブを、先行するサイズが大きい印刷ジョブの前に割り込ませ、緊急度の高い印刷ジョブを先に実行することができる。
【特許文献１】特開２０００−３０５４２１号公報
【発明の開示】
【発明が解決しようとする課題】
【０００７】
ところが、上記特許文献１に記載の技術は、印刷出力中において待機中の印刷ジョブの実行順序を入れ替えることができても、印刷出力が停止した状態では入れ替えることはできなかった。例えば、ペーパーエンプティが原因で印刷ジョブが実行不能になっている場合は、ペーパーエンプティが解除されるまでは印刷出力は停止した状態である。一度印刷出力が停止してしまうと、上記特許文献１に開示された方法によっても待機ジョブの実行順序を入れ替えることはできなかった。
【０００８】
本発明は、上記従来の問題を解決するために提案するものであって、待機中の印刷ジョブが実行可能か否かを実行前に判定し、実行不能な印刷ジョブより先に、実行可能な印刷ジョブを実行させることにより、印刷出力の停止時間を少なくし、印刷の生産性を向上させることができる画像形成装置を提供することを目的とする。
【課題を解決するための手段】
【０００９】
本発明の画像形成装置は、画像形成に関する印刷ジョブを所定の順序で実行することを前提としている。そして、印刷ジョブを格納する格納手段と、格納手段に格納された待機中の印刷ジョブが、実行可能であるか、実行不能であるかを判定する判定手段とを備えている。判定手段の判定は、印刷ジョブが実行される前、すなわち印刷ジョブが格納手段内で待機しているときに行われる。
【００１０】
判定手段の判定内容は、特に限定はしないが、例えば給紙カセット内に用紙があるか、ステープル針があるか、パンチくずの回収ボックスがいっぱいになっていないか、いずれかのカラーインクがインクぎれになっていないか等を検知することで判定することができる。
【００１１】
また、本発明の画像形成装置には、上記判定手段によって実行不能であると判定された待機中の印刷ジョブの実行順序を、後続する他の待機中の印刷ジョブの後に変更させる制御手段を設けている。この制御手段が実行不能な待機中の印刷ジョブを後回しに実行することで、実行不能な印刷ジョブによって印刷出力が停止するのを防ぐことができる。その結果、他の待機中の印刷ジョブまでもが待たされることを防止することができる。
【００１２】
また、他の印刷ジョブを先に実行させている間に、ユーザは実行不能と判定された印刷ジョブを実行可能になるように操作し、実行を妨げる原因を解消することができる。したがって、印刷出力を停止することなく全ての待機中の印刷ジョブを実行することができ、印刷システム全体として印刷処理を効率よく運用できる。
【発明の効果】
【００１３】
以上のような構成を採用することにより、本発明では、待機中の印刷ジョブが実行不能な場合であっても、後続する他の待機中の印刷ジョブに迷惑をかけるのを防ぐとともに効率的に印刷システムを運用することができる。
【発明を実施するための最良の形態】
【００１４】
以下、添付図面を参照して、本発明の実施の形態につき説明し、本発明の理解に供する。この実施の形態では、コピー機能、プリンタ機能、ファクシミリ機能等を有するいわゆるデジタル複合機として本発明を具体化している。
【００１５】
図１は、本実施の形態における複合機１００の全体構成を示す概念図である。
【００１６】
ユーザが複合機１００を利用して原稿のコピーを行う場合、原稿を例えば原稿台１０３に載置し、操作部に対して印刷の指示を行う。当該指示があると、以下に示す各部（駆動部）が動作することで、印刷が行われる。
【００１７】
画像読取部１０１において、光源１０４から照射された光は、原稿台１０３に置かれた原稿に反射し、ミラー１０５によって撮像素子１０８に導かれる。撮像素子１０８は受光した光を光電変換することで、原稿の画像データを生成する。
【００１８】
画像形成部１０２は、給紙カセット１２２から給紙される用紙に対して画像形成を行う。この画像形成部１０２には、感光体ドラム１０９と、その周囲に配置された帯電器１１０、露光器１１１、現像器１１２及び転写器１１３等と、その下流側に配置された定着装置１１８とを有している。感光体ドラム１０９表面を帯電器１１０によって帯電し、引き続いて露光器１１１により画像データに応じて光を照射する。こうすることで、感光体ドラム１０９上に静電潜像を形成する。そして、現像器１１２が静電潜像にトナーを付着することで、感光体ドラム１０９上にトナー像が形成される。その後トナー像は転写器１１３によって用紙に転写される。
【００１９】
また画像形成部１０２は、印刷を行うときは何れか１つの給紙カセット１２２から用紙１枚をピックアップローラ１１５を用いて給紙する。給紙カセット１２２から引き出された用紙は、搬送ローラ１１６により用紙搬送路１２５へ引き出される。その後、用紙はレジストローラ１１７で感光体ドラム１０９と転写器１１３の間に送り込まれる。
【００２０】
定着装置１１８において、加熱ローラ１１９と加圧ローラ１２０の間を用紙が通過すると、熱と用紙への押圧力によって可視像が用紙に定着する。画像形成部１０２は、定着装置１１８を通過した用紙を排紙トレイ１２１へ排紙する。
【００２１】
次に、ユーザが本複写機を利用する場合の操作方法について説明する。図２は、本実施形態における操作パネルの操作画面を示す図である。
【００２２】
ユーザは、操作パネル２０１を用いて、上述のような複写機に複写開始やその他の指示を与えたり、複写機の状態や設定を確認したりすることができる。操作パネル２０１は、表示機能と操作機能を一体に備えたタッチ式の液晶パネルで構成されており、例えば操作キー２０２及びメッセージ欄２０３を有する操作画面を表示する。ユーザは、操作キー２０２によって用紙のサイズや向き、倍率、濃度などの種々の設定を行うことができる。メッセージ欄２０３は、コピーが可能かどうかや用紙の補給が必要かどうかなどの複写機の状態や、複写部数、複写倍率、選択された用紙のサイズなどの設定をユーザに知らせるメッセージを表示する。
【００２３】
またユーザは、上記操作パネル２０１を用いて、用紙の種類、サイズと、各用紙が収容される給紙カセットとの対応関係を設定することができる。
【００２４】
図３は複合機における制御系ハードウェアの概略構成図である。複合機１００本体の制御回路３０１は、上述のような設定や指示を受け付けて複合機を動作させたりする。その制御回路３０１には、操作パネル２０１の回路３０２や給紙装置等のそれぞれの回路が接続される。
【００２５】
制御回路３０１は、ＣＰＵ（Central Processing Unit）３０３、ＲＯＭ（Read Only Memory）３０４、ＲＡＭ（Random Access Memory）３０５、画像メモリ３０６が内部バス３０７を介して接続されている。
【００２６】
ＲＯＭ３０４には、制御プログラムおよび標準の設定やその他のデータが格納されている。ＣＰＵ３０３は、ＲＯＭ３０４の制御プログラムの指令にしたがって、同じくＲＯＭ３０４に記憶されている、各駆動部に対応するドライバとデータや命令を授受することにより各駆動部の動作を制御する。ＲＡＭ３０５は、ＣＰＵ３０３が作業領域として用いたり一時的なデータを格納したりするのに用いられる。また、用紙の種類、サイズと、各用紙が収容される給紙カセットとの対応関係がＲＡＭ３０５上の用紙管理テーブルに記述される。この用紙管理テーブルは、ユーザの設定変更によって逐次更新可能になっている。
【００２７】
用紙検知センサ３０８は、各給紙カセット内に設けられており、給紙カセット内の用紙があるか否かを検知する。用紙検知センサ３０８による検知方法は種々のものが考えられるが、本実施形態では、各給紙カセット内に設けられたリフト板の位置を検知する。すなわち、リフト板は、給紙カセット内の用紙の残量に応じて昇降可能となっており、例えば用紙が全て送り出さて給紙カセットからなくなった場合は、最も高い位置である最上位置にある。したがって、用紙検知センサ３０８が、リフト板が最上位置にあることを検知することで、用紙が給紙カセット内から無くなったことが分かる。
【００２８】
画像メモリ３０６は、例えばＤＲＡＭ（Dynamic Random Access Memory）で構成されており、印刷ジョブを格納する格納手段としての機能を有している。この画像メモリ３０６には、上記画像読取部１０１で読み取った画像データや、例えばネットワーク３２１を介してコンピュータから送信されてきた画像データ等が格納される。また、画像メモリ３０６には、画像データとともに、当該画像データを識別するために割り当てられたジョブＩＤも保存される。ジョブＩＤを検索することで、そのジョブＩＤに対応する画像データを画像メモリから読み出すことが可能になっている。
【００２９】
また、制御回路３０１の内部バス３０７には、通信インターフェイス３０９、内部インターフェイス３１０が接続されている。通信インターフェイス３０９は、コンピュータ３２０からネットワーク３２１を介して送られてきた画像データを受信する。
【００３０】
内部インターフェイス３１０は、操作パネルの回路３０２やその他の回路を制御回路３０１と接続する。ＣＰＵ３０３は、内部インターフェイス３１０を通じて、操作パネル等の回路からの信号を受信したり、操作パネル等の回路へ信号を送信したりする。
【００３１】
操作パネルの回路３０２では、バス３１１に、ＣＰＵ３１２やディスプレイ３１３、操作キー２０２、内部インターフェイス３１４を備える。操作キー２０２をユーザが操作すると、ＣＰＵ３１２は、内部インターフェイス３１４を通じて、その操作に基づく信号を制御回路３０１に送信する。例えば濃度や複写倍率を操作キー２０２で設定すると、その設定データが制御回路３０１に送られる。制御回路３０１は、その設置データにしたがって画像形成部３０２を制御する。
【００３２】
またＣＰＵ３１２は、内部インターフェイス３１４を通じて、制御回路３０１から命令を受信すると、その命令にしたがってディスプレイ３１３にメッセージを表示する。例えば給紙カセットや大容量給紙装置の用紙がなくなると、ディスプレイ３１３は、補給を促すメッセージを表示する。
【００３３】
次に、印刷ジョブが実行される処理手順について説明する。図４はジョブキューの構造を示す図である。画像メモリに格納された印刷ジョブは、ジョブキュー４０１に管理される。ジョブキュー４０１は、先に入力した印刷ジョブを先に出力させるいわゆるＦＩＦＯ（First-In First-Out）方式（先入れ先出し方式）になっている。図４Ａでは、ジョブキュー４０１にジョブＡ、ジョブＢ、ジョブＣ、ジョブＤの入力順に４つのジョブが登録されており、ジョブキュー４０１の先頭に位置するジョブＡが実行の対象となっている。ジョブＡの実行が終了すると、図４Ｂに示すように、ジョブキュー４０１はジョブＡを削除するとともに、ジョブＡをスライドさせて実行順を一つずつ繰り上げる。このようにして、常にジョブキュー４０１の先頭に位置する印刷ジョブが実行される。
【００３４】
図５は、ジョブリストのデータ構成を示す図である。ジョブキューは、ジョブリスト５０１に配列されたジョブデータに対応している。ジョブリスト５０１は、「ジョブＩＤ」５０２を格納する領域と、「ジョブステータス」５０３を格納する領域と、「用紙サイズ」５０４を格納する領域と、「ページ数」５０５を格納する領域を備えている。
【００３５】
「ジョブＩＤ」５０２は、印刷ジョブが画像メモリに入力した順に自動的に割り当てられる印刷ジョブ固有の番号である。「ジョブステータス」５０３はジョブの実行状態を示し、実行中である「ＰＲＩＮＴＩＮＧ」状態、次に実行される予定の「ＮＥＸＴ」状態、待機中である「ＷＡＩＴ」状態のいずれかの状態を表す。ジョブはジョブリスト５０１の上欄から下欄の順に実行されるため、「ＰＲＩＮＴＩＮＧ」状態が最上欄で、続いて「ＮＥＸＴ」「ＷＡＩＴ」の順に配列されている。「用紙サイズ」５０４は、ユーザが指定した用紙のサイズを示している。「ページ数」５０５は、印刷をする原稿の枚数を示している。
【００３６】
図６は、本実施形態における複合機の機能ブロック図である。
【００３７】
実行可否判定部６０１は、次に実行する予定の印刷ジョブ（図５において「ＮＥＸＴ」状態にある印刷ジョブ）が、実行可能であるか実行不能であるかを判定する。
【００３８】
具体的には、ジョブリストを参照して、次に実行する予定の待機ジョブの用紙のサイズを判別する。続いて、その待機ジョブの用紙サイズはどの給紙カセットに収容されているかを検索する。どのサイズの用紙がどの給紙カセットに収容されているかの情報は、ＲＡＭ上に記述された用紙管理テーブルから得られる。
【００３９】
待機ジョブの用紙サイズが収容される給紙カセットを検索すると、その給紙カセット内に用紙が有るか否かを判断する。用紙の有無の判断は、用紙検知センサ３０８からの用紙検知信号に基づいて行われる。すなわち、用紙検知センサが用紙がない旨の用紙検知信号を出力した場合、実行可否判定部６０１は、その待機ジョブは実行不能であると判断する。
【００４０】
実行順制御部６０２は、実行不能であると判定された待機ジョブの実行順序を、他の待機ジョブの後に変更させる。この待機ジョブの実行順の変更は、ジョブキュー４０１内の印刷ジョブの登録順を入れ替えることによって行う。
【００４１】
画像形成部１０２は、ジョブキュー４０１内の印刷ジョブの登録順にしたがってジョブを出力する。上記実行順制御部６０２によって待機ジョブの実行順序が変更された場合は、その変更後の実行順序にしたがって印刷ジョブを実行する。
【００４２】
なお、実行可否判定部６０１が待機ジョブが実行不能であると判定すると、制御回路のＣＰＵは待機ジョブが実行不能である旨のメッセージを表示するよう操作パネル２０１に命令する。操作パネルのＣＰＵは、制御回路から命令を受けると、その命令に従って操作パネル２０１にメッセージを表示させる。
【００４３】
図７は、待機ジョブが実行不能である旨のメッセージを表示させた操作パネルの一例を示す図である。待機ジョブのユーザは、このメッセージ７０１を見て印刷を指示した用紙が給紙カセット内に無くなっているという情報を得ることができる。ユーザは、用紙を補給したり、用紙を変更したりする等の操作を行い、待機ジョブを実行可能な状態にする。
【００４４】
図８は、ジョブキュー内の印刷ジョブの入れ替え例を示す図である。ジョブキューは、実行ジョブＡと待機ジョブＢ、Ｃ、Ｄの４つのジョブを受け付けている（図８Ａ）。
【００４５】
実行ジョブＡを実行している間に、次に実行する予定の待機ジョブＢ（ジョブステータス「ＮＥＸＴ」状態）が実行可能であるか否かが実行可否判定部によって判定される。なお、待機ジョブＢの実行可否を判定するタイミングは、待機ジョブＢの実行前であればいつでもよい。実行ジョブＡを実行している間に判定してもよいし、待機ジョブＢの実行順が回ってきたとき、すなわち待機ジョブＢの実行直前に判定してもよい。
【００４６】
待機ジョブＢが実行不能であると判定されると、実行順制御部は待機ジョブＢの実行順序を最後尾に移動させる（図８Ｂ）。この待機ジョブＢの最後尾への移動は、待機ジョブＢを一旦削除し、後続する待機ジョブＣ、Ｄの実行順序を一つずつ前方に繰り上げ、待機ジョブＢを最後尾（待機ジョブＤの後）に登録するという手順をとる。待機ジョブＢの移動の結果、実行ジョブＡの次に待機ジョブＣ、続いて待機ジョブＤ、最後に待機ジョブＢの実行順になる。ただし、待機ジョブＣについても、実行可能であるか否かを実行前に判定する。待機ジョブＣが実行不能であると判定されると、待機ジョブＣの実行順序は最後尾に回される。待機ジョブＣが実行可能であると判定されると、実行ジョブＡの実行終了後、待機ジョブＣが実行される。
【００４７】
待機ジョブＣ、Ｄを実行している時間を利用して、待機ジョブＢのユーザは用紙を補給することができる。待機ジョブＢの実行順序は最後尾であるため、自分の実行順が回ってくるまでの時間は十分にあり、ゆっくりと用紙を補給することができる。
【００４８】
待機ジョブＢは、用紙を補給すると実行可能となり、実行順が回ってくると実行される。なお、本実施形態では、用紙を補給してジョブＢを実行可能にした後も、ジョブＢの実行順序は最後尾のままにしているが、特に限定するわけではない。例えば、ジョブＢが実行可能になった時点で、次に実行される順序（ジョブステータス「ＮＥＸＴ」状態）に優先的に繰り上げてもよい。
【００４９】
このようにして、次に実行する予定の待機ジョブが実行可能であるか否かを実行前に判定し、実行不能と判定された場合は、その待機ジョブを後回しに実行する。こうすることで、実行不能な待機ジョブによって、印刷出力が停止状態に陥るのを防止するとともに、後続する他の待機ジョブを先に実行することができる。
【００５０】
また、他の待機ジョブを実行している間に、実行不能な待機ジョブを実行可能にすることができる。これにより、複写機の印刷出力は停止することなく、複写機全体として効率的な運用を図ることができる。
【００５１】
尚、上述した実施の形態は本発明の技術的範囲を制限するものではない。既に記載したもの以外でも、本発明の範囲内で種々の変形や応用が可能である。
【００５２】
上述の実施形態では、待機ジョブは最後尾に変更したが、他の待機ジョブの後に移動するのであればどこに移動してもよい。図９は、ジョブキュー内の印刷ジョブの別の入れ替え例を示す図である。ジョブキューは、実行ジョブＡと待機ジョブＢ、Ｃ、Ｄの４つのジョブを受け付けている（図９Ａ）。
【００５３】
実行可否判定部は、全ての待機ジョブＢ、Ｃ、Ｄについて、実行可能か否かを判定する。実行順制御部は、実行不能であると判定された待機ジョブの実行順序を、実行可能であると判定された他の待機ジョブの後に変更する。
【００５４】
例えば、図９Ａにおいて待機ジョブＢ、Ｄが実行不能であると判定され、待機ジョブＣが実行可能であると判定されたとする。この場合、実行順制御部は、実行不能な待機ジョブＢと実行可能な待機ジョブＣの実行順序を入れ替える（図９Ｂ）。入れ替えの結果、実行ジョブＡの次に待機ジョブＣ、続いて待機ジョブＢ、最後に待機ジョブＤの実行順になる。
【００５５】
待機ジョブＢのユーザは、待機ジョブＣが実行されている時間を利用して、用紙を補給することができる。待機ジョブＢは、上述のように実行順を最後尾にまわされるのではないため、待機ジョブＣの実行後速やかに実行される。
【００５６】
また上述の実施形態では、格納手段に格納された待機ジョブが、実行可能であるか、実行不能であるかを判定する方法として、用紙検知センサに基づいて判定されるが、特に限定しているものではない。
【００５７】
例えば、上記用紙検知センサに加えて（又は代えて）、ステープル処理のステープル針の有無を検知するステープルセンサを設けてもよい。ステープル処理を行う待機ジョブは、ステープル針がない場合は、印刷ジョブを実行することができない。そこで、ステープルセンサを設けてステープル針があるか否かを印刷ジョブの実行前に検知する。
【００５８】
ステープルセンサがステープル針がないことを検知すると、その旨の検知信号を実行可否判定部に送信する。検知信号を受信した実行可否判定部は、待機ジョブは実行不能であると判断する。ジョブ管理制御部は、その実行不能な待機ジョブを実行順序の最後尾に移動させる。
【００５９】
以上のように上記実行可否判定部が、上記ステープルセンサの検知結果に基づいて、実行可能であるか、実行不能であるかを判定するようにしてもよい。
【００６０】
また、パンチング処理のパンチくずの回収ボックスが満杯になっていないかを検知するパンチングセンサを設けてもよい。パンチング処理を行う待機ジョブは、回収ボックスが満杯になっている場合は、印刷ジョブを実行することができない。そこで、パンチングセンサを設けて回収ボックスが満杯になっていないかをジョブの実行前に検知する。パンチングセンサが回収ボックスが満杯になっていることを検知すると、実行可否判定部は、待機ジョブは実行不能であると判断する。
【００６１】
以上のように上記実行可否判定部が、上記パンチングセンサの検知結果に基づいて、実行可能であるか、実行不能であるかを判定するようにしてもよい。
【００６２】
さらに、カラーインクの残量があるか否かを検知するインク残量センサを設けてもよい。フルカラーモードで印刷を実行しようとしていたにもかかわらず、いずれかのカラーインクがない場合は、印刷ジョブを実行することができない。そこで、インク残量センサを設けて、各トナータンク内にインクの残量があるか否かをジョブの実行前に検知する。インク残量センサがいずれかのカラーインクの残量がない事を検知すると、実行可否判定部は、待機ジョブは実行不能であると判断する。
【００６３】
以上のように上記実行可否判定部が、上記インク残量センサの検知結果に基づいて、実行可能であるか、実行不能であるかを判定するようにしてもよい。
【産業上の利用可能性】
【００６４】
本発明にかかる画像形成装置は、複数の印刷ジョブを同時に受け付ける複写機やプリンタ、複合機など様々な機器に有用である。
【図面の簡単な説明】
【００６５】
【図１】複合機の概略構成図。
【図２】操作パネルの操作画面を示す図。
【図３】複合機の制御系ハードウェアの概略構成図。
【図４】ジョブキューの構造を示す図。
【図５】ジョブリストのデータ構成を示す図。
【図６】複合機の機能ブロック図。
【図７】待機ジョブが実行不能である旨のメッセージを表示させた操作パネルの一例を示す図。
【図８】ジョブキュー内の印刷ジョブの入れ替え例を示す図。
【図９】ジョブキュー内の印刷ジョブの別の入れ替え例を示す図。
【符号の説明】
【００６６】
１００  複合機
１０１  画像読取部
１０２  画像形成部
２０１  操作パネル
３０６  画像メモリ
３０８  用紙検知センサ
５０１  ジョブリスト
６０１  実行可否判定部
６０２  ジョブ管理制御部
【図１】
2008062584.tif 000003
【図２】
2008062584.tif 000004
【図３】
2008062584.tif 000005
【図４】
2008062584.tif 000006
【図５】
2008062584.tif 000007
【図６】
2008062584.tif 000008
【図７】
2008062584.tif 000009
【図８】
2008062584.tif 000010
【図９】
2008062584.tif 000011